(57)【要約】【課題】下地部分とインキ部分とのコントラストが鮮明な模様をＵＶ印刷によって実現する表面加飾方法を提供することである。【解決手段】下地となる被印刷物に紫外線硬化インキによって複数の線を下地が露出するように間隔を有して並列に印刷する表面加飾方法であって、前記複数の線は直線であり、前記複数の線からなる群を、前記複数の線が複数方向に延在するように複数配置し、前記複数の線が等間隔又は徐々に変化する間隔を有して並行であることとする。【選択図】図１
2013078914.tif 000002
【特許請求の範囲】
【請求項１】
下地となる被印刷物に紫外線硬化インキによって複数の線を下地が露出するように間隔を有して並列に印刷する表面加飾方法。
【請求項２】
前記複数の線は直線であることを特徴とする請求項１記載の表面加飾方法。
【請求項３】
前記複数の線からなる群を、前記複数の線が複数方向に延在するように複数配置することを特徴とする請求項２記載の表面加飾方法。
【請求項４】
前記複数の線が等間隔又は徐々に変化する間隔を有して並行であることを特徴とする請求項１〜３の何れかに記載の表面加飾方法。
【請求項５】
前記複数の線からなる群同士を下地が露出するように一定間隔で隣接させて配置することを特徴とする請求項１〜４の何れかに記載の表面加飾方法。
【請求項６】
前記複数の線からなる群はその外周に隣接する印刷線を有することを特徴とする請求項１〜５の何れかに記載の表面加飾方法。
【請求項７】
前記複数の線の幅が等しく、前記複数の線の間隔が前記複数の線の幅より狭いことを特徴とする請求項１〜６の何れかに記載の表面加飾方法。
【請求項８】
請求項１〜７の何れかに記載の表面加飾方法によって加飾された外装部材を備えた電子機器。
【発明の詳細な説明】
【技術分野】
【０００１】
本発明は、主に金属部品や樹脂部品に紫外線硬化インキ（以下、ＵＶインキと記すことがある）を用いた印刷（以下、ＵＶ印刷と記すことがある）により加飾する表面加飾方法及びそれを用いた電子機器に関する。
【背景技術】
【０００２】
従来から、金属部品や樹脂部品にＵＶ印刷により加飾する技術が知られている。例えば、特許文献１には、金属光沢面を有する基板上に、透明或いは半透明の粘稠性を有するインクまたは透明或いは半透明のＵＶインクに、微細粒子のマット剤を拡散混合してなるインクと所定のスクリーン目のスクリーン版を用いて所望模様、文字等をマット印刷すると共に、該マット印刷の表面にスクリーン版のメッシュ模様を残すようにしたことを特徴とする金属光沢面を有する基板上の表面加飾方法が開示されている。
【先行技術文献】
【特許文献】
【０００３】
【特許文献１】特開昭６２−２３４９７９号公報
【発明の概要】
【発明が解決しようとする課題】
【０００４】
金属部材や樹脂部材は光沢を有するものが多く、ＵＶ印刷により加飾する場合は下地（部材表面）とのコントラストが鮮明に表れる。しかしながら、特許文献１など従来のＵＶ印刷において図柄を構成する模様は任意であり、つまり他の印刷物と同様の図柄が用いられていた。例えば、マット感を出したい部分はベタ模様としていた。そのため、下地とのコントラストを強調するために最適な模様であるかどうかは考慮されていなかった。
【０００５】
本発明は、下地部分とインキ部分とのコントラストが鮮明な模様をＵＶ印刷によって実現する表面加飾方法を提供することを目的とする。また、その表面加飾方法によって加飾された電子機器を提供することも目的とする。
【課題を解決するための手段】
【０００６】
上記目的を達成するために本発明の表面加飾方法は、下地となる被印刷物に紫外線硬化インキによって複数の線を下地が露出するように間隔を有して並列に印刷するものとする。
【０００７】
上記の表面加飾方法において、例えば、前記複数の線は直線とすることができる。
【０００８】
また上記の表面加飾方法において、前記複数の線からなる群を、前記複数の線が複数方向に延在するように複数配置してもよい。
【０００９】
また上記の表面加飾方法において、前記複数の線が等間隔又は徐々に変化する間隔を有して並行であってもよい。
【００１０】
また上記の表面加飾方法において、前記複数の線からなる群同士を下地が露出するように一定間隔で隣接させて配置してもよい。
【００１１】
また上記の表面加飾方法において、前記複数の線からなる群はその外周に隣接する印刷線を有してもよい。
【００１２】
また上記の表面加飾方法において、前記複数の線の幅が等しく、前記複数の線の間隔が前記複数の線の幅より狭くなるようにしてもよい。
【００１３】
また本発明は、上記の何れかに記載の表面加飾方法によって加飾された外装部材を備えた電子機器とする。
【発明の効果】
【００１４】
本発明によると、複数の線を並列にＵＶ印刷することにより、下地部分とインキ部分とのコントラストが鮮明な模様を実現することができる。また、下地の質感も表現に生かすことができる。また、見る方向、角度を変えることできらきら輝いて見える。また、加飾方法に印刷を用いているので、シート等を貼着する場合と比べて部品点数が増えない。
【００１５】
また本発明によると、複数の線からなる群を、複数の線が複数方向に延在するように複数配置した場合、隣接する各群のコントラストが鮮明になり、インキの濃淡で表現するよりも各群の形状を模様としてはっきりと識別できる。
【図面の簡単な説明】
【００１６】
【図１】本発明の第１の実施形態の印刷物の一部を拡大した平面図である。
【図２Ａ】図１の一部を拡大した平面図である。
【図２Ｂ】図２ＡのＡ−Ａ線断面図である。
【図３】バインダを有する印刷物の断面図である。
【図４】本発明の第２の実施形態の印刷物の一部を拡大した平面図である。
【図５】本発明の第３の実施形態の印刷物の一部を拡大した平面図である。
【図６】本発明の第４の実施形態の印刷物の一部を拡大した平面図である。
【図７Ａ】本発明の第５の実施形態の印刷物の一部を拡大した平面図である。
【図７Ｂ】図７ＡのＢ−Ｂ線断面図である。
【発明を実施するための形態】
【００１７】
図１は本発明の第１の実施形態の印刷物の一部を拡大した平面図である。図２Ａは図１の一部を拡大した平面図であり、図２Ｂは図２ＡのＡ−Ａ線断面図である。図１及び図２Ａでは黒線がインキ部分、白線が下地部分を示している。
【００１８】
この印刷物１０における表面加飾方法の特徴は、ＵＶ印刷の下地となる被印刷物１１にＵＶインキによって複数の線１２を下地（被印刷物１１の表面）１１ａが露出するように間隔ｙを有して並列に印刷していることである。これにより、印刷物１０を見る方向によって下地部分とインキ部分とのコントラストが鮮明な模様を実現し、見る方向、角度を変えることできらきら輝いて見える。
【００１９】
具体的に、印刷物１０において、複数の線１２は等間隔を有する並行な直線である。以下では、同じ方向の並行な線１２が連続している部分を群と称する。印刷物１０では、その群を複数の線１２が複数方向（図１では縦、横、右斜め、左斜め）に延在するように複数配置することにより、円が重なったような模様を形成している。
【００２０】
印刷物１０において、複数の線１２の幅ｘは全て等しく、複数の線１２の間隔ｙは線１２の幅ｘより狭くなっている。また、図２Ｂに矢印Ｌで示すように、線１２が横に延在している状態で斜め上方から見た場合に、線１２の厚みによって向こう側の下地１１ａがある程度隠れるようにするため、線１２の厚みｚは間隔ｙと同程度であることが好ましい。
【００２１】
具体的には、線１２の幅が０．１〜０．５ｍｍ、線１２の間隔ｙが０．１〜０．５ｍｍ、線の厚みｚが０．０５〜０．２５ｍｍであることが好ましく、線１２の幅が０．１５〜０．２５ｍｍ、線１２の間隔ｙが０．１〜０．２ｍｍ、線の厚みｚが０．１〜０．２ｍｍであることがより好ましい。例えば、線の幅ｘを０．２２ｍｍ、線の間隔ｙを０．１５ｍｍ、線の厚みｚを０．１５ｍｍとすることができる。
【００２２】
そして、被印刷物１１が光沢のある材料である場合は線１２をマット調で印刷し、一方、被印刷物１１が光沢のない材料である場合は線１２をグロス調で印刷する。例えば、被印刷物１１が光沢のある材料であり、線１２をマット調で印刷した印刷物１０を斜め上方から見ると、線１２が横に延在している群については下地１１ａがある程度隠れるのでマット調に見え、線１２が縦に延在している群については下地１１ａが隠れないのでグロス調に見え、線１２が左右斜めに延在している群については下地１１ａがやや隠れるのでマット調とグロス調の中間程度に見える。これにより、隣接する各群のコントラストが鮮明になり、インキの濃淡で表現するよりも各群の形状を模様としてはっきりと識別できる。また、下地の質感も表現に生かすことができる。また、見る方向、角度を変えることできらきら輝いて見える。
【００２３】
なお、上述した並列とは、複数の直線又は曲線が並んでいれよく、並行でない場合も含むものとする。また、並行とは、複数の直線が平行である場合と、複数の同形の曲線が交わらないように並んでいる場合とを含むものとする。したがって、複数の線１２は並んでいれば必ずしも並行でなくてもよく、また曲線としてもよい。これらの場合でも同様にコントラストが鮮明な模様を実現でき、見る方向、角度を変えることできらきら輝いて見える。
【００２４】
次に、被印刷物１１としてはＵＶインキが印刷できれば特に限定はなく、金属、樹脂、紙、布など所望の材料を用いることができる。また、印刷方法には特に限定はなく、被印刷物１１に適した印刷方法を用いればよい。例えば、電子機器の外装部材である金属部品や樹脂部品に印刷する場合、曲面にも印刷可能なスクリーン印刷やパッド印刷などを用いることが好ましい。また、スクリーン印刷やパッド印刷はデザインや色調の変更が容易であり、低コストであるため、多品種、少量生産にも対応可能である。
【００２５】
なお、金属面にＵＶ印刷する場合は、予め金属面にＵＶインキの密着性を向上させる樹脂系のバインダを印刷又は塗布しておくことが望ましい。図３はバインダ１３を有する印刷物２０の断面図である。印刷物２０は、アルマイト処理したアルミニウム部品からなる被印刷物１１上に、印刷する模様と同じ模様でポリウレタン系のインキからなるバインダ１３を印刷したものである。よって下地１１ａは露出されたままなので、下地１１ａの金属の光沢感が損なわれることがない。
【００２６】
図４は本発明の第２の実施形態の印刷物の一部を拡大した平面図である。図４の一部を拡大した平面図は図２Ａと同様であり、断面図は図２Ｂと同様であるのでここでは省略する。
【００２７】
図４の印刷物３０が図１の印刷物１０と異なる点は複数の線１２からなる群同士を下地１１ａが露出するように一定間隔で隣接させて配置している点である。すなわち、図４において白色の曲線がその一定間隔に相当し、図４では線１２同士の間隔ｙと同じ間隔としている。なお、一定間隔は視認可能な間隔であれば特に限定はない。また、一部の群同士の間にだけ一定間隔を設けてもよい。
【００２８】
このように、各群の間に間隔を設けることで、図１の印刷物１０において群の境界が波打って見えていたものを滑らかに見えるようにすることができ、意匠性が向上する。
【００２９】
図５は本発明の第３の実施形態の印刷物の一部を拡大した平面図である。図５の一部を拡大した平面図は図２Ａに準じ、断面図は図２Ｂに準ずるのでここでは省略する。図５の印刷物４０が図４の印刷物３０と異なる点は複数の線１２が徐々に変化する間隔を有して並行となっている点である。すなわち、線１２の幅ｘは同じであるが、線１２の間隔ｙが徐々に広くなったり徐々に狭くなったりしている。
【００３０】
このように、線１２の間隔ｙを徐々に変化させることで、線１２と下地１１ａの割合が変化するので、コントラストがグラデーションして見え、意匠に変化をもたせることができる。
【００３１】
なお、線１２の幅ｘを徐々に変化させてもよい。さらに、線１２の幅ｘと間隔ｙの両方を徐々に変化させてもよい。これらによっても同様の効果が得られる。
【００３２】
図６は本発明の第４の実施形態の印刷物の一部を拡大した平面図である。図６の一部を拡大した平面図は図２Ａと同様であり、断面図は図２Ｂと同様であるのでここでは省略する。図６の印刷物５０が図１の印刷物１０と異なる点は、複数の線１２からなる群がその外周に隣接する印刷線５１を有する点である。すなわち、図６において黒色の曲線が印刷線５１に相当し、図６では線１２と同じ幅としている。なお、印刷線５１の幅には特に限定はない。また、印刷物５０の必要な場所にだけ印刷線５１を設けてもよい。
【００３３】
このように、印刷線５１を設けることにより、スクリーン印刷でスキージの移動方向が線１２と略直角になる印刷部分においても線１２に気泡が入るのを抑制することができる。よって、より鮮明に印刷することができる。
【００３４】
図７Ａは本発明の第５の実施形態の印刷物の一部を拡大した平面図であり、図７Ｂは図７ＡのＢ−Ｂ線断面図である。図７Ａ、７Ｂの印刷物６０が図２Ａ、２Ｂの印刷物１０と異なる点は、線６１を曲線とした点である。線６１同士は並行である。
【００３５】
このように、線６１を曲線とした場合でも直線の場合と同様に、隣接する各群のコントラストが鮮明になり、インキの濃淡で表現するよりも各群の形状を模様としてはっきりと識別できる。また、下地の質感も表現に生かすことができる。また、見る方向、角度を変えることできらきら輝いて見える。さらに、曲線とした場合、１つの群の中でもコントラストが変化するので、より複雑な模様を表現することができる。なお、直線と曲線を組み合わせた線や直線を組み合わせた線（折れ線）としても同様の効果を得ることができる。
【００３６】
なお、本発明においては、線を印刷するのに単色印刷又は多色印刷のどちらを用いても構わない。例えば、多色印刷を用いて群毎に異なる色にすれば、表現の幅が広がる。
【００３７】
なお、本発明においては、線の幅、間隔、厚みで濃淡を表現でき、群の形状や配置で図柄を表現できるので、幾何学模様だけでなく人物や風景といった様々な図柄も表現することができる。
【００３８】
なお、上記の各実施形態では線を印刷する場合を例に説明したが、線に代えて、任意の形状のドットを線状に配置して印刷してもよい。
【産業上の利用可能性】
【００３９】
本発明の表面加飾方法は、電子機器の外装部材をはじめ印刷可能な部材の加飾に利用することができる。電子機器としては、デジタルカメラや携帯電話機や携帯情報端末等に好適に利用できる。例えば、デジタルカメラの場合、前面のスライドカバーに利用することができる。
【符号の説明】
【００４０】
１０、２０、３０、４０、５０、６０  印刷物
１１  被印刷物
１１ａ  下地
１２、６１  線
１３  バインダ
【図１】
2013078914.tif 000003
【図２Ａ】
2013078914.tif 000004
【図４】
2013078914.tif 000005
【図５】
2013078914.tif 000006
【図６】
2013078914.tif 000007
【図７Ａ】
2013078914.tif 000008
【図２Ｂ】
2013078914.tif 000009
【図３】
2013078914.tif 000010
【図７Ｂ】
2013078914.tif 000011